(57)【要約】【課題】  省資源・エネルギーで、即応性の高い画像表示を実現する。【解決手段】  依頼者１Ａ、１Ｂは依頼者端末２や携帯電話機３からインターネット４を通じて画像表示の運用サーバー６へアクセスが行われる。この運用サーバー６には画像表示の受付機能が設けられて、画像情報と、表示の時期及び／または場所を指定する情報の受付が行われる。これらの情報により鉄道の運行データベース７を参照して対応する列車８Ａ、８Ｂが判別される。そして列車８Ａ、８Ｂの走行する経路の駅端末９Ａ、９Ｂに受け付けられた画像情報が配信され、該当する列車８Ａ、８Ｂの車載データベース１０Ａ、１０Ｂに向けて配信された画像情報の送信が行われる。さらに車載データベース１０Ａ、１０Ｂでは、車上ＬＡＮ１１Ａ、１１Ｂを通じて、各車両に設置された可逆記録媒体１２の近傍に配置される画像形成装置１３に対して画像情報の再配信が行われる。【選択図】        図１
2005331883.tif 000002
【特許請求の範囲】
【請求項１】
依頼者コンピュータと、運用サーバーと、駅端末とがコンピュータネットワークで接続された画像表示システムにおいて、
前記依頼者コンピュータは、
表示する画像の表示に関する種別情報と当該画像の表示に関する条件情報とを少なくとも設定する手段と、
前記設定された情報と、前記表示の対象となる画像データあるいは当該画像データの格納先に関する情報の少なくともいずれか一方とを画像情報として生成する手段と、
前記生成された画像情報を前記設定された条件情報に含まれる送信先情報に応じて対応する運用サーバーに送信する手段と、
前記運用サーバーは、
画像情報を表示する移動体に関する情報と当該移動体の運行に関する情報とを対応付けて記憶する記憶手段と、
前記記憶手段を検索し、前記依頼者コンピュータから受信した画像情報に含まれる種別情報と条件情報に対応する移動体の運行情報を取得する手段と、
前記受信した画像情報と前記取得した運行情報に基づいて当該画像情報を当該運行情報に対応して表示させる表示指示情報を生成する手段と、
前記生成された表示指示情報を前記取得した運行情報に含まれる駅情報で識別される駅端末に送信する手段と、
前記駅端末は、
前記運用サーバーから送信された表示指示情報を受信する手段と、
前記受信した表示指示情報に基づいて対応する移動体及び当該移動体に備わる画像形成装置を識別すると共に、当該識別の結果に応じて表示実行の対象となる画像形成装置に対して画像形成の指示を行う手段と、
を備えることを特徴とする画像表示システム。
【請求項２】
請求項１記載の画像表示システムにおいて、
前記画像形成装置は発色状態における極大吸収波長が異なる２種類以上のフォトクロミック化合物を含む感光層が支持基板上に形成されてなる可逆記録媒体を有し、
少なくとも紫外光を照射することにより感光層に含有される全種類の前記フォトクロミック化合物を発色させる工程と、発色した各々の前記フォトクロミック化合物の極大吸収波長に対応した波長域の可視光をそれぞれ予め定めた領域に照射することにより各前記フォトクロミック化合物を選択的に消色する工程とを施すことを用いて画像を形成する
ことを特徴とする画像表示システム。
【請求項３】
請求項２記載の画像表示システムにおいて、
前記申し込まれる画像情報には時期及び／または場所を指定する情報を含み、
前記サーバーは前記指定された時期及び／または場所に対応する前記画像形成装置に前記申し込まれた画像情報を配信する
ことを特徴とする画像表示システム。
【請求項４】
請求項３記載の画像表示システムにおいて、
前記サーバーは前記指定された時期及び／または場所に対応する前記可逆記録媒体の周囲の環境を判断して前記画像形成装置に配信する前記画像情報に補正を加える
ことを特徴とする画像表示システム。
【請求項５】
請求項３記載の画像表示システムにおいて、
前記サーバーには課金手段が併設され、
前記課金手段では前記指定された時期及び／または場所に対応する課金の金額を設定する
ことを特徴とする画像表示システム。
【請求項６】
請求項２記載の画像表示システムにおいて、
前記画像形成装置には液晶プロジェクターを採用し、
前記サーバーから配信される画像情報を可視映像光に変換して前記可逆記録媒体に照射する
ことを特徴とする画像表示システム。
【請求項７】
請求項２記載の画像表示システムにおいて、
前記画像形成装置はレーザー光源素子と、前記レーザー光源素子から発射されるレーザービームを変調及び走査する光学素子とからなり、
前記サーバーから配信される画像情報に応じて前記レーザービームを変調及び走査して前記可逆記録媒体に照射する
ことを特徴とする画像表示システム。
【請求項８】
請求項６または請求項７のいずれかに記載の画像表示システムにおいて、
一つの前記可逆記録媒体を分割してその分割のそれぞれに対して前記画像形成装置を設け、
前記サーバーからは連続若しくは独立した前記画像情報を前記画像形成装置のそれぞれに対して配信する
ことを特徴とする画像表示システム。
【請求項９】
請求項２から請求項８までのいずれかに記載の画像表示システムにおいて、
前記可逆記録媒体をスライド扉に貼り付け、前記画像形成装置をその戸袋に設ける
ことを特徴とする画像表示システム。
【請求項１０】
請求項９記載の画像表示システムにおいて、
前記スライド扉は鉄道車両の乗降口に設けられる
ことを特徴とする画像表示システム。
【請求項１１】
請求項２から請求項８までのいずれかに記載の画像表示システムにおいて、
前記可逆記録媒体を鉄道事業の駅の構内看板に設け、前記画像形成装置をその近傍を走行し前記駅に停車する車両に設ける
ことを特徴とする画像表示システム。
【請求項１２】
依頼者コンピュータと、運用サーバーと、駅端末とがコンピュータネットワークで接続されたシステムに用いられる画像表示方法において、
前記依頼者コンピュータは、
表示する画像の表示に関する種別情報と当該画像の表示に関する条件情報とを少なくとも設定し、
前記設定された情報と、前記表示の対象となる画像データあるいは当該画像データの格納先に関する情報の少なくともいずれか一方とを画像情報として生成し、
前記生成された画像情報を前記設定された条件情報に含まれる送信先情報に応じて対応する運用サーバーに送信し、
前記運用サーバーは、
画像情報を表示する移動体に関する情報と当該移動体の運行に関する情報とを対応付けて記憶し、
前記記憶手段を検索し、前記依頼者コンピュータから受信した画像情報に含まれる種別情報と条件情報に対応する移動体の運行情報を取得し、
前記受信した画像情報と前記取得した運行情報に基づいて当該画像情報を当該運行情報に対応して表示させる表示指示情報を生成し、
前記生成された表示指示情報を前記取得した運行情報に含まれる駅情報で識別される駅端末に送信し、
前記駅端末は、
前記運用サーバーから送信された表示指示情報を受信し、
前記受信した表示指示情報に基づいて対応する移動体および当該移動体に備わる画像形成装置を識別すると共に、当該識別の結果に応じて表示実行の対象となる画像形成装置に対して画像形成の指示を行う、
ことを特徴とする画像表示方法。
【請求項１３】
請求項１２記載の画像表示方法において、
前記画像形成装置は発色状態における極大吸収波長が異なる２種類以上のフォトクロミック化合物を含む感光層が支持基板上に形成されてなる可逆記録媒体を有し、
少なくとも紫外光を照射することにより感光層に含有される全種類の前記フォトクロミック化合物を発色させる工程と、発色した各々の前記フォトクロミック化合物の極大吸収波長に対応した波長域の可視光をそれぞれ予め定めた領域に照射することにより各前記フォトクロミック化合物を選択的に消色する工程とを施すことを用いて画像を形成する
ことを特徴とする画像表示方法。
【請求項１４】
請求項１３記載の画像表示方法において、
前記申し込まれる画像情報には時期及び／または場所を指定する情報を含み、
前記指定された時期及び／または場所に対応する前記画像形成装置に前記申し込まれた画像情報を配信する
ことを特徴とする画像表示方法。
【請求項１５】
請求項１４記載の画像表示方法において、
前記指定された時期及び／または場所に対応する前記可逆記録媒体の周囲の環境を判断して前記画像形成装置に配信する前記画像情報に補正を加える
ことを特徴とする画像表示方法。
【請求項１６】
請求項１４記載の画像表示方法において、
課金手段が併設され、前記指定された時期及び／または場所に対応する課金の金額を設定する
ことを特徴とする画像表示方法。
【請求項１７】
請求項１３記載の画像表示方法において、
前記画像形成装置には液晶プロジェクターを採用し、
配信される画像情報を可視映像光に変換して前記可逆記録媒体に照射する
ことを特徴とする画像表示方法。
【請求項１８】
請求項１３記載の画像表示方法において、
前記画像形成装置はレーザー光源素子と、前記レーザー光源素子から発射されるレーザービームを変調及び走査する光学素子とからなり、
配信される画像情報に応じて前記レーザービームを変調及び走査して前記可逆記録媒体に照射する
ことを特徴とする画像表示方法。
【請求項１９】
請求項１７または請求項１８のいずれかに記載の画像表示方法において、
一つの前記可逆記録媒体を分割してその分割のそれぞれに対して前記画像形成装置を設け、
連続若しくは独立した前記画像情報を前記画像形成装置のそれぞれに対して配信する
ことを特徴とする画像表示方法。
【請求項２０】
請求項１３から請求項１９までのいずれかに記載の画像表示方法において、
前記可逆記録媒体をスライド扉に貼り付け、前記画像形成装置をその戸袋に設ける
ことを特徴とする画像表示方法。
【請求項２１】
請求項２０記載の画像表示方法において、
前記スライド扉は鉄道車両の乗降口に設けられる
ことを特徴とする画像表示方法。
【請求項２２】
請求項１３から請求項１９までのいずれかに記載の画像表示方法において、
前記可逆記録媒体を鉄道事業の駅の構内看板に設け、前記画像形成装置をその近傍を走行し前記駅に停車する車両に設ける
ことを特徴とする画像表示方法。
【発明の詳細な説明】
【技術分野】
【０００１】
本発明は、例えば鉄道車両の乗降口のスライド扉や駅の構内看板に使用して好適な画像表示システム及び方法に関する。詳しくは、フォトクロミック化合物による可逆記録媒体を用いて、所望の場所に良好な情報の表示を行うことができるようにしたものである。
【背景技術】
【０００２】
本願発明者は、先にフォトクロミック化合物を用いた可逆記録媒体に関する技術について開示している（例えば、非特許文献１参照。）。
【０００３】
また、このような可逆記録媒体に対して画像表示を行うための画像形成装置に関する技術も開示している（例えば、特許文献１、特許文献２参照。）。
【０００４】
【特許文献１】特開２００３−１８６１５４号公報
【特許文献２】特開２００３−２３３１５３号公報
【非特許文献１】http://ext.ricoh.co.jp/about/business_overview/report/29/pdf/B2906.pdf
【発明の開示】
【発明が解決しようとする課題】
【０００５】
例えば鉄道車両において、車両の内外に情報を表示することが行われている。その場合に従来の技術では、紙等に印刷された表示媒体を掲出するか、あるいは液晶ディスプレイ等の表示機器を用いて映像信号として配信される情報を表示する手段が用いられる。しかしながらこれらの手段では、印刷に用いられる紙資源の消費が莫大なものになる。また、液晶ディスプレイ等での表示には、継続的な電気エネルギー等の供給が必要とされる。
【０００６】
さらに上述の画像表示を行う際に、媒体が紙の場合には事前の印刷等の準備やその掲出に多大な労力が必要とされ、特に情報の即応性は望めない。一方、液晶ディスプレイ等の表示機器を用いる場合は、印刷等の準備や掲出の労力は不要であり、ニュース等の即応性の高い表示も行われている。しかしながら映像表示には、予め記録媒体等へ収録と配布が必要であり、ニュースの表示は文字放送等のフォーマットが限定されているものである。
【０００７】
本発明はこのような点に鑑みて成されたものであって、発明が解決しようとする課題は、従来周知慣用の技術では、情報の表示に多くの資源・エネルギーの消費が行われていると共に、即応性の高い画像表示を容易に実施することができなかったというものである。
【課題を解決するための手段】
【０００８】
上記課題を解決し、本発明の目的を達成するため、請求項１に記載された発明は、依頼者コンピュータと、運用サーバーと、駅端末とがコンピュータネットワークで接続された画像表示システムにおいて、依頼者コンピュータは、表示する画像の表示に関する種別情報と当該画像の表示に関する条件情報とを少なくとも設定する手段と、設定された情報と、表示の対象となる画像データあるいは当該画像データの格納先に関する情報の少なくともいずれか一方とを画像情報として生成する手段と、生成された画像情報を設定された条件情報に含まれる送信先情報に応じて対応する運用サーバーに送信する手段と、運用サーバーは、画像情報を表示する移動体に関する情報と当該移動体の運行に関する情報とを対応付けて記憶する記憶手段と、記憶手段を検索し、依頼者コンピュータから受信した画像情報に含まれる種別情報と条件情報に対応する移動体の運行情報を取得する手段と、受信した画像情報と取得した運行情報に基づいて当該画像情報を当該運行情報に対応して表示させる表示指示情報を生成する手段と、生成された表示指示情報を取得した運行情報に含まれる駅情報で識別される駅端末に送信する手段と、駅端末は、運用サーバーから送信された表示指示情報を受信する手段と、受信した表示指示情報に基づいて対応する移動体および当該移動体に備わる画像形成装置を識別すると共に、当該識別の結果に応じて表示実行の対象となる画像形成装置に対して画像形成の指示を行う手段とを備えるようにしたものである。
【０００９】
また、請求項２に記載の発明による画像表示システムは、画像形成装置は発色状態における極大吸収波長が異なる２種類以上のフォトクロミック化合物を含む感光層が支持基板上に形成されてなる可逆記録媒体を有し、少なくとも紫外光を照射することにより感光層に含有される全種類のフォトクロミック化合物を発色させる工程と、発色した各々の前記フォトクロミック化合物の極大吸収波長に対応した波長域の可視光をそれぞれ予め定めた領域に照射することにより各フォトクロミック化合物を選択的に消色する工程とを施すことを用いて画像を形成するようにしたものである。
【００１０】
請求項３に記載の発明による画像表示システムは、申し込まれる画像情報には時期及び／または場所を指定する情報を含み、サーバーは指定された時期及び／または場所に対応する画像形成装置に申し込まれた画像情報を配信するものである。
【００１１】
請求項４に記載の発明による画像表示システムは、サーバーは指定された時期及び／または場所に対応する可逆記録媒体の周囲の環境を判断して画像形成装置に配信する画像情報に補正を加えるものである。
【００１２】
請求項５に記載の発明による画像表示システムは、サーバーには課金手段が併設され、課金手段では指定された時期及び／または場所に対応する課金の金額を設定するものである。
【００１３】
請求項６に記載の発明による画像表示システムは、画像形成装置には液晶プロジェクターを採用し、サーバーから配信される画像情報を可視映像光に変換して可逆記録媒体に照射するものである。
【００１４】
請求項７に記載の発明による画像表示システムは、画像形成装置はレーザー光源素子と、レーザー光源素子から発射されるレーザービームを変調及び走査する光学素子とからなり、サーバーから配信される画像情報に応じてレーザービームを変調及び走査して可逆記録媒体に照射するものである。
【００１５】
請求項８に記載の発明による画像表示システムは、一つの可逆記録媒体を分割してその分割のそれぞれに対して画像形成装置を設け、サーバーからは連続若しくは独立した画像情報を画像形成装置のそれぞれに対して配信するものである。
【００１６】
請求項９に記載の発明による画像表示システムは、可逆記録媒体をスライド扉に貼り付け、画像形成装置をその戸袋に設けるものである。
【００１７】
請求項１０に記載の発明による画像表示システムは、スライド扉は鉄道車両の乗降口に設けられるものである。
【００１８】
請求項１１に記載の発明による画像表示システムは、可逆記録媒体を鉄道事業の駅の構内看板に設け、画像形成装置をその近傍を走行し駅に停車する車両に設けるものである。
【００１９】
さらに、本発明の目的を達成するため、請求項１２に記載された発明は、依頼者コンピュータと、運用サーバーと、駅端末とがコンピュータネットワークで接続されたシステムに用いられる画像表示方法において、依頼者コンピュータは、表示する画像の表示に関する種別情報と当該画像の表示に関する条件情報とを少なくとも設定し、設定された情報と、前記表示の対象となる画像データあるいは当該画像データの格納先に関する情報の少なくともいずれか一方とを画像情報として生成し、生成された画像情報を前記設定された条件情報に含まれる送信先情報に応じて対応する運用サーバーに送信し、運用サーバーは、画像情報を表示する移動体に関する情報と当該移動体の運行に関する情報とを対応付けて記憶し、記憶手段を検索し、依頼者コンピュータから受信した画像情報に含まれる種別情報と条件情報に対応する移動体の運行情報を取得し、受信した画像情報と取得した運行情報に基づいて当該画像情報を当該運行情報に対応して表示させる表示指示情報を生成し、生成された表示指示情報を取得した運行情報に含まれる駅情報で識別される駅端末に送信し、駅端末は、運用サーバーから送信された表示指示情報を受信し、受信した表示指示情報に基づいて対応する移動体および当該移動体に備わる画像形成装置を識別すると共に、当該識別の結果に応じて表示実行の対象となる画像形成装置に対して画像形成の指示を行うようにしたものである。
【００２０】
また、請求項１３に記載の発明による画像表示方法は、画像形成装置は発色状態における極大吸収波長が異なる２種類以上のフォトクロミック化合物を含む感光層が支持基板上に形成されてなる可逆記録媒体を有し、少なくとも紫外光を照射することにより感光層に含有される全種類のフォトクロミック化合物を発色させる工程と、発色した各々のフォトクロミック化合物の極大吸収波長に対応した波長域の可視光をそれぞれ予め定めた領域に照射することにより各フォトクロミック化合物を選択的に消色する工程とを施すことを用いて画像を形成するようにしたものである。
【００２１】
また、請求項１４に記載の発明による画像表示方法は、申し込まれる画像情報には時期及び／または場所を指定する情報を含み、指定された時期及び／または場所に対応する画像形成装置に申し込まれた画像情報を配信するものである。
【００２２】
請求項１５に記載の発明による画像表示方法は、指定された時期及び／または場所に対応する可逆記録媒体の周囲の環境を判断して画像形成装置に配信する画像情報に補正を加えるものである。
【００２３】
請求項１６に記載の発明による画像表示方法は、課金手段が併設され、指定された時期及び／または場所に対応する課金の金額を設定するものである。
【００２４】
請求項１７に記載の発明による画像表示方法は、画像形成装置には液晶プロジェクターを採用し、配信される画像情報を可視映像光に変換して可逆記録媒体に照射するものである。
【００２５】
請求項１８に記載の発明による画像表示方法は、画像形成装置はレーザー光源素子と、レーザー光源素子から発射されるレーザービームを変調及び走査する光学素子とからなり、配信される画像情報に応じてレーザービームを変調及び走査して可逆記録媒体に照射するものである。
【００２６】
請求項１９に記載の発明による画像表示方法は、一つの可逆記録媒体を分割してその分割のそれぞれに対して画像形成装置を設け、連続若しくは独立した画像情報を画像形成装置のそれぞれに対して配信するものである。
【００２７】
請求項２０に記載の発明による画像表示方法は、可逆記録媒体をスライド扉に貼り付け、画像形成装置をその戸袋に設けるものである。
【００２８】
請求項２１に記載の発明による画像表示方法は、スライド扉は鉄道車両の乗降口に設けられるものである。
【００２９】
請求項２２に記載の発明による画像表示方法は、可逆記録媒体を鉄道事業の駅の構内看板に設け、画像形成装置をその近傍を走行し駅に停車する車両に設けるものである。
【発明の効果】
【００３０】
以上述べたように、本発明によれば、可逆記録媒体を用いると共に、コンピュータネットワークを介して申し込まれる画像情報を配信して、配信された画像情報を可逆記録媒体に形成するようにしているので、資源・エネルギーの消費を削減することができると共に、即応性の高い画像表示を容易に実現することができるものである。
【発明を実施するための最良の形態】
【００３１】
以下、図面を参照して本発明を説明するに、図１は本発明による画像表示システム及び方法を鉄道車両に適用した場合の一実施形態の構成を示すブロック図である。
【００３２】
図１において、情報の表示を希望する依頼者１Ａ、１Ｂは、例えば依頼者端末（パーソナルコンピュータ）２や携帯電話機３を用いて例えばインターネット４のようなコンピュータネットワークへの接続を行う。なお、携帯電話機３の場合は、無線の基地局５を通じてインターネット４への接続が行われる。さらにこのインターネット４を通じて、本発明の基幹となる画像表示の運用サーバー６へアクセスが行われる。
【００３３】
この運用サーバー６には、例えばインターネット４からの画像表示の受付機能が設けられて、上述の依頼者端末２や携帯電話機３から送信される画像情報等の受付が行われる。また、この画像情報の受付に際しては、例えば画像表示を行う時期及び／または場所を指定する情報の受付が併せて行われる。なお、時期及び／または場所の指定は、鉄道車両での実施にあっては、列車番号や駅間等によって行うこともできる。
【００３４】
この申し込みに対して運用サーバー６では、上述の指定された時期及び／または場所の情報により、例えば鉄道の運行データベース７を参照して対応する列車８Ａ、８Ｂを判別する。さらに運用サーバー６は、判別された列車８Ａ、８Ｂの走行する経路の駅に設けられる駅端末９Ａ、９Ｂに受け付けられた画像情報を配信する。そして駅端末９Ａ、９Ｂからは、例えば無線伝送にて、該当する列車８Ａ、８Ｂの車載データベース１０Ａ、１０Ｂに向けて配信された画像情報の送信が行われる。
【００３５】
このようにして、運用サーバー６から配信された画像情報が車載データベース１０Ａ、１０Ｂで受信される。さらに車載データベース１０Ａ、１０Ｂでは、車上ＬＡＮ１１Ａ、１１Ｂを通じて、各車両に設置された可逆記録媒体１２の近傍に配置される画像形成装置１３に対して画像情報の再配信が行われる。そして再配信された画像情報が画像形成装置１３から投影されて、可逆記録媒体１２に画像情報が形成される。
【００３６】
さらに運用サーバー６では、上述の画像表示の受付に対して任意の課金手段１４が起動され、依頼者１Ａ、１Ｂに対する課金の手続が行われる。なお、このような課金手段１４については既存の手段が採用されるので、ここで詳細な説明は割愛するが、運用サーバー６では、例えば上述の指定された時期及び／または場所の情報に従って課金の金額を任意に設定することもできるものである。
【００３７】
また、上述の構成において、可逆記録媒体１２には、例えば上述の非特許文献１に示されるように、発色状態における極大吸収波長が異なる２種類以上のフォトクロミック化合物を含む感光層が支持基板上に形成されてなる可逆記録媒体が用いられる。
【００３８】
また、画像形成装置１３には、特許文献１、２に示されるように、少なくとも紫外光を照射することにより感光層に含有される全種類のフォトクロミック化合物を発色させる工程と、発色した各々のフォトクロミック化合物の極大吸収波長に対応した波長域の可視光をそれぞれ予め定めた領域に照射することにより各フォトクロミック化合物を選択的に消色する工程とを施すことを用いて画像を形成する画像形成装置が用いられる。
【００３９】
すなわち上述の実施形態において、例えば依頼者１Ｂが携帯電話機３のカメラ機能等で撮影した画像情報に文字情報等を付加し、インターネット４を通じて運用サーバー６に画像表示を申し込む。この際には、画像表示の時期及び／または場所の指定も併せて行う。この申し込みに対して運用サーバー６では、運行データベース７を参照して対応する列車８Ａ、８Ｂを判別し、経路の駅に設けられる駅端末９Ａ、９Ｂに画像情報を配信する。
【００４０】
さらに、配信を受けた駅端末９Ａ、９Ｂは該当する列車８Ａ、８Ｂの車載データベース１０Ａ、１０Ｂに向けて配信された画像情報を送信する。そして画像情報を受信して車載データベース１０Ａ、１０Ｂは、車上ＬＡＮ１１Ａ、１１Ｂを通じて画像形成装置１３に対して画像情報を再配信し、再配信された画像情報が画像形成装置１３から投影されて、可逆記録媒体１２に画像情報が形成される。
【００４１】
したがってこの実施形態において、コンピュータネットワーク（例えばインターネット４）を介して申し込まれる画像情報を画像形成装置１３に配信するサーバー（運用サーバー６）を有し、サーバー（運用サーバー６）から配信された画像情報を、画像形成装置１３により可逆記録媒体１２に形成ことができる。これによって、情報の表示に多くの資源・エネルギーが消費され、また、即応性の高い画像表示を容易に実施することができなかったという従来の問題点を解消することができるものである。
【００４２】
なお、画像形成装置１３として上述の特許文献１に示すような液晶プロジェクターを用いる場合には、例えば図２に示すようにレンズ２０を通じて照射が行われ、可逆記録媒体１２に画像が形成される。
【００４３】
そして、上述の画像表示の時期及び／または場所の指定として、駅間の指定が行われている場合に、例えば図２のＣに示すような路線で、列車８が矢示のように左から右に向かって進行している状態では、Ａ駅の一つ前のＢ駅までは図２のＡに示すように「○○屋、Ａ駅、下車」の広告情報を表示し、Ｂ駅からＡ駅の間は図２のＢに示すように「○○屋、次駅で、下車」の広告情報が表示されるようにすることができる。
【００４４】
ところで、液晶プロジェクターを用いて画像情報の照射を行っている場合には、レンズ２０による拡大率を大きくすると、照射される画像情報の先鋭度が低下して、可逆記録媒体１２に形成される画像情報が不鮮明なものになるおそれがある。そこでそのような場合の対処法としては、例えば図３に示すように可逆記録媒体１２を複数に分割して、それぞれに画像形成装置１３（レンズ２０のみ示す）を設けることができる。
【００４５】
そしてこの場合に、運用サーバー６からそれぞれの画像形成装置１３（レンズ２０Ａ、２０Ｂで示す）には、連続若しくは独立した画像情報を配信することができる。これにより、連続した画像情報を配信した場合には、大きな画像を可逆記録媒体１２の全体に形成することができ、また、独立した画像情報を配信した場合には、図３のＡ、Ｂに示すように可逆記録媒体１２の分割された部分ごとに独立の広告情報を形成することができる。
【００４６】
また、上述の実施形態では、可逆記録媒体１２を列車８の車内に設けているが、上述のシステムを用いる場合には、可逆記録媒体１２を列車８の車外に設けることもできる。すなわち図４に示すように、例えば鉄道の駅の構内看板４０に可逆記録媒体１２を設置し、この可逆記録媒体１２に対し、駅に停車する列車８に設けられた画像形成装置１３から画像を照射して、画像情報の形成を行うことができる。
【００４７】
これによれば、例えば東京の山手線のように、所定の時間ごとに同じ列車が循環して走行している路線では、一つの編成の列車８に画像形成装置１３を設置することによって、各駅に設けられる構内看板４０の可逆記録媒体１２に対して、順番に画像情報を形成することができ、さらにその画像情報を列車８の循環ごとに書き替えることが可能になる。このようにして、時期及び／または場所を指定した画像情報の表示を行うことができる。
【００４８】
さらに上述の実施形態では、画像形成装置１３として特許文献１のような液晶プロジェクターを用いているので、可逆記録媒体１２と画像形成装置１３との間に所定の距離が必要になる。これに対して、上述の特許文献２に示すようなレーザー光源素子から発射されるレーザービームを変調及び走査する光学素子とからなる装置では、可逆記録媒体１２と画像形成装置１３との間隔を小さくすることができる。
【００４９】
そこで特許文献２に示すような装置を、例えば鉄道車両の乗降口に設けられるスライド扉の戸袋に設け、スライド扉に貼り付けられた可逆記録媒体に画像情報を形成することができる。
【００５０】
すなわち、可逆記録媒体を乗降口のスライド扉に設ける場合には、例えば図５に示すように扉の車内側（図５のＡ）とホーム側（図５のＢ）について、その扉ごとにガラス窓５０の周囲の４箇所に可逆記録媒体を設けることができる。なお、記号の意味は、車両−ドア位置−内外−左右−表示位置に対応する。また、ガラス窓５０の下部の可逆記録媒体については、図５のＣに示すように分割も可能である。
【００５１】
そして、これらの可逆記録媒体に対する画像情報の表示（形成）は、例えば図６〜図８に示すようなフローチャートに従って行われる。
【００５２】
すなわち図６には、列車壁面に表示する画像情報の登録処理のフローチャートを示す。このフローチャートは、携帯電話機若しくは依頼者端末である依頼端末と運用サーバーでの処理の流れについて示している。そこでまず依頼端末の処理が開始されると、ステップＳ１１で表示依頼情報の入力処理が行われる。この入力処理では、表示開始／終了駅、表示日時、投影画像、表示オプション等の入力が行われる。そしてステップＳ１２で表示依頼情報の運用サーバーへの送信処理が行われる。
【００５３】
この送信に対して、運用サーバーの処理が開始されると、ステップＳ２１で依頼端末からの表示依頼情報の受信処理が行われる。この入力処理では、依頼者識別情報を付与し、表示依頼情報を対応付けデータベース（ＤＢ）に格納する。次に、ステップＳ２２で表示依頼情報の検索処理が行われる。この検索処理では、表示依頼情報に基づき対象車両、区間等の検索が行われる。さらにこの検索処理については、後述の図７で詳細に説明する。
【００５４】
また、ステップＳ２３で設定情報があるか否か判断され、設定情報がないとき（Ｎｏ）はステップＳ２２での検索が繰り返される。そしてステップＳ２３で設定情報があるとき（Ｙｅｓ）は、ステップＳ２４で設定情報の送信処理が行われる。この送信処理では、設定結果に基づいて以来もとに返信が行われるものである。
【００５５】
この送信に対して、依頼端末のステップＳ１３で運用サーバーからの設定情報の受信処理が行われる。この受信処理では、運用サーバーで設定した画像、区間駅などの情報が受信される。さらにステップＳ１４で設定情報の表示処理が行われる。この表示処理では、設定情報に含まれる情報に基づいて区間駅と画像が表示される。そしてステップＳ１５でＯＫか否か判断され、ＯＫのとき（Ｙｅｓ）はステップＳ１６で設定の依頼処理が行われて依頼端末の処理は終了される。
【００５６】
また、ステップＳ１５でＯＫでないとき（Ｎｏ）はステップＳ１７で再設定の依頼処理が行われる。これらのステップＳ１６、Ｓ１７での依頼処理に対して、運用サーバーのステップＳ２５で設定応答情報の受信処理が行われる。そして受信された設定応答に対してステップＳ２６で設定ＯＫか否か判断され、ＯＫでないとき（Ｎｏ）は、ステップＳ２２での検索からの処理が繰り返される。また、ステップＳ２６で設定ＯＫのとき（Ｙｅｓ）は、ステップＳ２７で設定情報の登録が行われる。
【００５７】
次に、図７には画像、運行に関する情報に基づいた設定処理のフローチャートを示す。このフローチャートは、上述の運用サーバーのステップＳ２２での処理を詳細に説明するものである。すなわち図７の処理が開始されると、まずステップＳ３１で投影画像の枚数が識別される。次に、ステップＳ３２で複数枚か否か判断される。そして、複数枚のとき（Ｙｅｓ）はステップＳ３３で複数表示、分割表示、連続表示などの設定が行われ、複数枚でないとき（Ｎｏ）はステップＳ３４で複数表示、分割表示の設定が行われる。
【００５８】
さらにステップＳ３５で複数駅か否か判断される。そしてステップＳ３５で複数駅のとき（Ｙｅｓ）は、ステップＳ３６で複数区間の運行ダイヤ、車両情報が取得され、ステップＳ３７で複数枚の画像が表示区間内の駅ごとに割り当てられる。また、ステップＳ３５で複数駅でないとき（Ｎｏ）は、ステップＳ３８で一駅区間の運行ダイヤ、車両情報が取得され、ステップＳ３９で表示区間内の車両の表示エリアに応じて画像が分配される。
【００５９】
なお、ステップＳ３７、Ｓ３９での処理において、割り当て処理では、区間内の駅での均等表示の設定や、降車駅までの駅数に応じた表示の設定や、区間内の駅の特性に応じた表示の設定などが行われる。また分配処理では、車両扉、表示エリア等に応じて表示箇所が設定される。さらに表示位置では、図５に示したような扉の内外の表示エリアについて、上下、左右、複数等の表示箇所が設定される。
【００６０】
また、ステップＳ３７、Ｓ３９での処理において、表示時間では、運行時間に応じて表示位置を変更する場合について、ラッシュ時は上、閑散時は上下の表示スペースに表示するなどの設定が行われる。また、表示の修飾では、運行時の天候、日照などを考慮した強調表示などの設定が行われる。
【００６１】
そして、図７のステップＳ４０で、割り当て／分配された設定に対する課金情報の試算の算出処理が行われる。さらにステップＳ４１で、表示画像、車両の運行に関する情報に応じた表示画像情報の設定処理が行われる。これらの処理が行われた後、図６のステップＳ２２に戻される。したがって、以上の図６、図７のフローチャートによって、列車壁面に表示する画像情報の登録処理が行われる。
【００６２】
さらに図８には、列車の壁面への画像の表示処理のフローチャートを示す。このフローチャートは、運用サーバーと車載データベースでの処理の流れについて示している。なお運用サーバーの処理は、図６での処理の続きである。そこで運用サーバーでは、ステップＳ５１で対象設定情報の抽出が行われ、さらにステップＳ５２で設定情報ありか否か判断される。そして、ステップＳ５２で設定情報がないとき（Ｎｏ）はステップＳ５１での対象設定情報の抽出が繰り返される。
【００６３】
これに対して、ステップＳ５２で設定情報があるとき（Ｙｅｓ）は、ステップＳ５３で設定詳細情報の抽出処理が行われる。この抽出処理では、車両、表示エリア、対象画像、表示方法等の情報が抽出される。そしてステップＳ５４で、抽出された設定情報が車載データベースに送信されて、運用サーバーでの処理は終了される。
【００６４】
さらにステップＳ５４での送信に対して、車載データベースでの処理が行われる。すなわち車載データベースの処理が開始されると、ステップＳ６１で運用サーバーから送信される設定情報の受信処理が行われる。また、ステップＳ６２で設定情報の格納処理が行われる。さらにステップＳ６３で位置情報の検出処理が行われる。そしてステップＳ６４で対象駅付近か否かの判断が行われ、付近でないとき（Ｎｏ）はステップＳ６４が繰り返される。
【００６５】
これに対して、ステップＳ６４で付近のとき（Ｙｅｓ）には、ステップＳ６５で設定情報の抽出が行われる。さらにステップＳ６６でドア開になるか否かが判断され、ドア開でないとき（Ｎｏ）はステップＳ６６が繰り返される。そしてステップＳ６６でドア開になったとき（Ｙｅｓ）は、ステップＳ６７で初期化が必要か否か判断され、必要なとき（Ｙｅｓ）は、ステップＳ６８で初期化が行われる。
【００６６】
さらに、ステップＳ６８で初期化が行われたときとステップＳ６７で初期化が必要でなかったとき（Ｎｏ）は、ステップＳ６９でドア閉になるか否か判断される。そしてドア閉にならないとき（Ｎｏ）はステップＳ６９が繰り返される。また、ステップＳ６９でドア閉になったとき（Ｙｅｓ）は、ステップＳ７０でドアの閉まり動作に応じて対象画像情報の照射が行われる。すなわち対象ドアの表示スペースに対象画像が照射される。
【００６７】
そして、ステップＳ７１で終了か否か判断され、終了のとき（Ｙｅｓ）は終了し、終了でないとき（Ｎｏ）はステップＳ６４に戻される。このようにして、列車の壁面への画像の表示が行われる。なおこれら図６〜図８のフローチャートに示す処理は、列車壁面への画像情報の表示以外にも適用できるものである。
【００６８】
したがって、上述の実施形態において、コンピュータネットワークを介して申し込まれる画像情報を画像形成装置に配信するサーバーを有し、サーバーから配信された画像情報を、画像形成装置により可逆記録媒体に形成ことができる。これによって、情報の表示に多くの資源・エネルギーが消費され、また、即応性の高い画像表示を容易に実施することができなかったという従来の問題点を解消することができるものである。
【００６９】
すなわち本発明の画像表示システムによれば、依頼者コンピュータと、運用サーバーと、駅端末とがコンピュータネットワークで接続され、依頼者コンピュータは、表示する画像の表示に関する種別情報と当該画像の表示に関する条件情報とを少なくとも設定する手段と、設定された情報と、表示の対象となる画像データあるいは当該画像データの格納先に関する情報の少なくともいずれか一方とを画像情報として生成する手段と、生成された画像情報を設定された条件情報に含まれる送信先情報に応じて対応する運用サーバーに送信する手段と、運用サーバーは、画像情報を表示する移動体に関する情報と当該移動体の運行に関する情報とを対応付けて記憶する記憶手段と、記憶手段を検索し、依頼者コンピュータから受信した画像情報に含まれる種別情報と条件情報に対応する移動体の運行情報を取得する手段と、受信した画像情報と取得した運行情報に基づいて当該画像情報を当該運行情報に対応して表示させる表示指示情報を生成する手段と、生成された表示指示情報を取得した運行情報に含まれる駅情報で識別される駅端末に送信する手段と、駅端末は、運用サーバーから送信された表示指示情報を受信する手段と、受信した表示指示情報に基づいて対応する移動体および当該移動体に備わる画像形成装置を識別すると共に、当該識別の結果に応じて表示実行の対象となる画像形成装置に対して画像形成の指示を行う手段とを備えるものである。
【００７０】
また、本発明の画像表示システムによれば、発色状態における極大吸収波長が異なる２種類以上のフォトクロミック化合物を含む感光層が支持基板上に形成されてなる可逆記録媒体を任意の場所に配置すると共に、少なくとも紫外光を照射することにより感光層に含有される全種類のフォトクロミック化合物を発色させる工程と、発色した各々のフォトクロミック化合物の極大吸収波長に対応した波長域の可視光をそれぞれ予め定めた領域に照射することにより各フォトクロミック化合物を選択的に消色する工程とを施すことを用いて画像を形成する画像形成装置を可逆記録媒体の近傍に配置し、コンピュータネットワークを介して申し込まれる画像情報を画像形成装置に配信するサーバーを有し、画像形成装置によりサーバーから配信された画像情報を可逆記録媒体に形成することにより、省資源・エネルギーで、即応性の高い画像表示を実現することができるものである。
【００７１】
さらに本発明の画像表示方法によれば、依頼者コンピュータと、運用サーバーと、駅端末とがコンピュータネットワークで接続されたシステムに用いられ、依頼者コンピュータは、表示する画像の表示に関する種別情報と当該画像の表示に関する条件情報とを少なくとも設定し、設定された情報と、前記表示の対象となる画像データあるいは当該画像データの格納先に関する情報の少なくともいずれか一方とを画像情報として生成し、生成された画像情報を前記設定された条件情報に含まれる送信先情報に応じて対応する運用サーバーに送信し、運用サーバーは、画像情報を表示する移動体に関する情報と当該移動体の運行に関する情報とを対応付けて記憶し、記憶手段を検索し、依頼者コンピュータから受信した画像情報に含まれる種別情報と条件情報に対応する移動体の運行情報を取得し、受信した画像情報と取得した運行情報に基づいて当該画像情報を当該運行情報に対応して表示させる表示指示情報を生成し、生成された表示指示情報を取得した運行情報に含まれる駅情報で識別される駅端末に送信し、駅端末は、運用サーバーから送信された表示指示情報を受信し、受信した表示指示情報に基づいて対応する移動体および当該移動体に備わる画像形成装置を識別すると共に、当該識別の結果に応じて表示実行の対象となる画像形成装置に対して画像形成の指示を行うものである。
【００７２】
また、本発明の画像表示方法によれば、発色状態における極大吸収波長が異なる２種類以上のフォトクロミック化合物を含む感光層が支持基板上に形成されてなる可逆記録媒体を任意の場所に配置すると共に、少なくとも紫外光を照射することにより感光層に含有される全種類のフォトクロミック化合物を発色させる工程と、発色した各々のフォトクロミック化合物の極大吸収波長に対応した波長域の可視光をそれぞれ予め定めた領域に照射することにより各フォトクロミック化合物を選択的に消色する工程とを施すことを用いて画像を形成する画像形成装置を可逆記録媒体の近傍に配置し、コンピュータネットワークを介して申し込まれる画像情報を画像形成装置に配信し、画像形成装置により配信された画像情報を可逆記録媒体に形成することにより、省資源・エネルギーで、即応性の高い画像表示を実現することができるものである。
【００７３】
なお本発明は、上述の説明した実施形態に限定されるものではなく、特許請求の範囲の記載を逸脱しない限りにおいて、種々の変形が可能とされるものである。
【図面の簡単な説明】
【００７４】
【図１】本発明による画像表示システム及び方法の一実施形態の構成を示すブロック図である。
【図２】図１の実施形態の動作の説明のための図である。
【図３】図１の実施形態の説明のための図である。
【図４】本発明による画像表示システム及び方法の他の実施形態の構成を示すブロック図である。
【図５】本発明による画像表示システム及び方法のさらに他の実施形態の構成を示すブロック図である。
【図６】図５の実施形態の動作の説明のためのフローチャート図である。
【図７】図５の実施形態の動作の説明のためのフローチャート図である。
【図８】図５の実施形態の動作の説明のためのフローチャート図である。
【符号の説明】
【００７５】
１Ａ，１Ｂ…依頼者、２…依頼者端末、３…携帯電話機、４…インターネット、５…基地局、６…運用サーバー、７…運行データベース、８Ａ，８Ｂ…列車、９Ａ，９Ｂ…駅端末、１０Ａ，１０Ｂ…車載データベース、１１Ａ，１１Ｂ…車上ＬＡＮ、１２…可逆記録媒体、１３…画像形成装置、１４…課金手段
【図１】
2005331883.tif 000003
【図２】
2005331883.tif 000004
【図３】
2005331883.tif 000005
【図４】
2005331883.tif 000006
【図５】
2005331883.tif 000007
【図６】
2005331883.tif 000008
【図７】
2005331883.tif 000009
【図８】
2005331883.tif 000010